(57)【特許請求の範囲】
【請求項１】
水平方向に所定の間隔をおいて配設された方立間に、無目取付け用ブラケットを介して無目を架け渡し、カーテンウォールパネル用開口枠を形成したカーテンウォール構造において、
前記無目取付け用ブラケットは、前記方立に対する取付け板と、この取付け板に対して鉛直軸回りに所定の角度範囲内で揺動自在に連結されるとともに、前記無目と連結される無目支持用翼板と、から構成され、前記無目が前記所定の角度範囲内で入隅方向、平面方向および出隅方向のいずれかの角度方向に支持され、
前記方立は、室外がわ面の両側縁部に部材長手方向に沿って突片を備え、無目連結部位に前記突片の所定長さ区間に亘って切欠き部が形成されるとともに、室内外方向に対して直交する方向に連結ボルト孔が形成され、
無目連結部位に取り付けられる前記無目取付け用ブラケットは、その室外がわ面の側縁部に位置決め兼用の回転防止用係合突部が形成され、この位置決め兼用の回転防止用係合突部を前記方立の切欠き部に係合させた状態で前記連結ボルト孔を貫く連結ボルトによって固定されていることを特徴とするカーテンウォール構造。
【請求項２】
前記無目は中空内部の背面側に部材長手方向に沿ってリップ状溝が形成されているとともに、背面側端部位置に外部より前記リップ状溝に連通する、相対的に高さ寸法の大きいボルト頭部嵌入孔とこれに連続する相対的に高さ寸法の小さいボルト頭部保持孔とが形成され、
無目取付け用ボルトの頭部を前記ボルト頭部嵌入孔より嵌入させ、前記ボルト頭部保持孔側にスライドさせて前記頭部を抜脱不能とし、室内側に突出する無目取付け用ボルトの軸部を前記無目支持用翼板に締結している請求項１記載のカーテンウォール構造。
【請求項３】
前記無目取付け用ブラケットの室外がわ面に荷重支持用突部が形成され、無目との連結状態において前記荷重支持用突部が前記ボルト頭部嵌入孔に嵌入し、無目からの荷重を前記無目取付け用ボルトと共に分担支持させている請求項２記載のカーテンウォール構造。
【発明の詳細な説明】
【０００１】
【発明の属する技術分野】
本発明は、方立間に取り付けられる無目を所定の角度範囲内で任意に、入隅方向、平面方向および出隅方向のいずれかの角度方向に支持できるようにしたカーテンウォール構造に関する。
【０００２】
【従来の技術】
従来より、ビル等の壁面構造では、方立および無目等により格子枠組みされたフレーム内にパネルを支持したカーテンウォール構造が多く採用されている。
【０００３】
かかるカーテンウォール構造においては、近年のデザインの多様化に伴って、たとえば横方向に隣接するパネル間に多少の折れ角を持たせることで、カーテンウォール壁面を外観的に多角形状壁面とし、単調なビル壁面にアクセントを与えることが行われている。
【０００４】
【発明が解決しようとする課題】
しかし、従来のカーテンウォール構造の場合、入隅方向に折れ角を持たせる場合と、出隅方向に折れ角を持たせる場合とでは、それぞれの部位毎に入隅用支持金物または出隅用支持金物を使用していたため、支持金物の在庫管理等が煩雑であるとともに、施工が非常に面倒になるなどの問題があった。
【０００５】
一方、躯体に方立を取り付けたならば、これら方立間に無目を取り付けて開口枠を形成し、各開口にカーテンウォールパネルを取り付ける手順によってカーテンウォールを施工する場合、現場で方立と無目との連結作業を行わなければならず、かかる連結構造に手間と時間が掛かるため作業が省力化かつ効率化されないなどの問題もあった。
【０００６】
そこで本発明の主たる課題は、単一のカーテンウォール構造により、平面方向、入隅方向および出隅方向のいずれの方向であっても、所定角度範囲内で任意にパネル間の折れ角を可変自在とし、かつ方立と無目との連結作業を省力化かつ効率化できるようにしたカーテンウォール構造を提供することにある。
【０００７】
【課題を解決するための手段】
前記課題を解決するために請求項１に係る本発明として、水平方向に所定の間隔をおいて配設された方立間に、無目取付け用ブラケットを介して無目を架け渡し、カーテンウォールパネル用開口枠を形成したカーテンウォール構造において、
前記無目取付け用ブラケットは、前記方立に対する取付け板と、この取付け板に対して鉛直軸回りに所定の角度範囲内で揺動自在に連結されるとともに、前記無目と連結される無目支持用翼板と、から構成され、前記無目が前記所定の角度範囲内で入隅方向、平面方向および出隅方向のいずれかの角度方向に支持され、
前記方立は、室外がわ面の両側縁部に部材長手方向に沿って突片を備え、無目連結部位に前記突片の所定長さ区間に亘って切欠き部が形成されるとともに、室内外方向に対して直交する方向に連結ボルト孔が形成され、
無目連結部位に取り付けられる前記無目取付け用ブラケットは、その室外がわ面の側縁部に位置決め兼用の回転防止用係合突部が形成され、この位置決め兼用の回転防止用係合突部を前記方立の切欠き部に係合させた状態で前記連結ボルト孔を貫く連結ボルトによって固定されていることを特徴とするカーテンウォール構造が提供される。
【０００８】
上記本発明では、無目が、鉛直軸回りに所定の角度範囲内で揺動自在に連結される無目支持用翼板を介して支持されるようになっている。したがって、前記無目を無目支持用翼板の揺動角度範囲内において任意方向に支持可能となり、単一のカーテンウォール構造により、平面方向、入隅方向および出隅方向のいずれの方向であっても、所定角度範囲内で任意にパネル間の折れ角を可変自在とすることが可能となる。
【０００９】
また、前記無目取付け用ブラケットに形成された前記回転防止用係合突部を前記方立の切欠き部に係合させながら位置決めすることで、所定位置に対し傾斜させること無く鉛直にきっちりと位置決めできるようになる。また、無目から荷重を受けても前記回転防止用係合突部が鉛直面に沿って係合していることにより無目取付け用ブラケットは連結ボルトを中心として回転変位することはなく、単に１本の連結ボルトによって固定すれば足りるようになる。したがって、無目取付け用ブラケットの取付けを少なくとも２本以上の連結ボルトを用いて行っていた従来法と比べると大幅な省力化および効率化が図れるようになる。
【００１０】
請求項２に係る本発明として、前記無目は中空内部の背面側に部材長手方向に沿ってリップ状溝が形成されているとともに、背面側端部位置に外部より前記リップ状溝に連通する、相対的に高さ寸法の大きいボルト頭部嵌入孔とこれに連続する相対的に高さ寸法の小さいボルト頭部保持孔とが形成され、
無目取付け用ボルトの頭部を前記ボルト頭部嵌入孔より嵌入させ、前記ボルト頭部保持孔側にスライドさせて前記頭部を抜脱不能とし、室内側に突出する無目取付け用ボルトの軸部を前記無目支持用翼板に締結している請求項１記載のカーテンウォール構造が提供される。
【００１１】
上記本発明では、無目の室内側背面に見栄えの悪いリップ条溝を形成せずに済むようになり、室内側に露出させても意匠性を損なわないようになる。
【００１２】
請求項３に係る本発明として、前記無目取付け用ブラケットの室外がわ面に荷重支持用突部が形成され、無目との連結状態において前記荷重支持用突部が前記ボルト頭部嵌入孔に嵌入し、無目からの荷重を前記無目取付け用ボルトと共に分担支持させている請求項２記載のカーテンウォール構造が提供される。
【００１３】
上記本発明では、無目からの荷重を前記無目取付け用ボルトと共に分担支持させた構造とすることにより、１本の無目取付け用ボルトで確実に無目を荷重支持できるようになる。
【００１４】
【発明の実施の形態】
以下、本発明の実施の形態について図面を参照しながら詳述する。
【００１５】
図１は本カーテンウォール構造の縦断面図であり、図２は本カーテンウォール構造により出隅を構成した場合の要部外観図、図３はその水平横断面図である。
【００１６】
本カーテンウォール構造１は、建物躯体の端部に固定された方立支持金具１１によって、水平方向に所定の間隔をおいて上下方向に沿って方立２、２…を固定した後、この方立２，２間に上下方向に所定間隔で無目３，３…を架け渡すとともに、前記方立２の室外がわ面に縦枠５を取り付けて開口枠を構成し、さらに、前記縦枠５の室外がわ面に側枠６を取り付けた後、無目３，３の嵌合溝にガラス等のパネルＰを嵌め込み、パネル側縁を前記側枠６に取り付けた押縁７、８によって固定した構造のカーテンウォールである。その後、パネルＰ、Ｐの縦ジョイント間には、縦目地用カバー材９を取り付けることによって相対的に縦ラインが強調されるようになっている。
【００１７】
本カーテンウォール構造１では、特に前記無目３の支持金具に工夫を凝らすことによって、出隅、入隅および平面のいずれにも対応可能となっている。以下、出隅を構成した場合の例に基づいて、無目３の取付け手順に従いながら本カーテンウォール構造について詳述する。
【００１８】
前記方立２は、図３に示されるように、内空に隔壁を備え２つの中空室を有する断面略方形状の型材で、室外がわ面には幅方向中央に２条の突片によって中央リップ状溝２ａが形成されるとともに、この中央リップ状溝２ａの両側にそれぞれ２条の突片によって側部リップ状溝２ｂ、２ｃが形成されている。前記中央リップ溝２ａは縦枠５を固定するための縦枠ボルト１０の頭部１０ａを嵌合させるための溝であり、側部リップ状溝２ｂ、２ｃはタイトゴム２５、２５を嵌合支持するための溝である。さらに、前記室外がわ面の両側縁部には、部材長手方向に沿って縦枠５に係合する突片２ｄ、２ｅが形成されている。
【００１９】
前記方立２は、床Ｆの端部に固定される方立支持金具１１によって支持されている。具体的には、図４および図５に示されるように、躯体Ｆの端部にアンカー金具１２が埋設固定されるとともに、このアンカー金具１２に頭部が嵌合支持され、かつネジ部を外部に突出させて設けられた固定用ボルト１４およびナット１４Ｂによってファスナー１３を固定し、一方前記方立２の上部側に取付け金具１８をボルト１９，１９によって固定し、この取付け金具１８とファスナー１３との間にライナー金具１６を介在させた状態で固定用ボルト１５およびナット１５Ｂによって締結している。なお、前記取付け金具１８の上部には雌ネジ筒１８ａが一体的に支持され、かつこの雌ネジ筒１８ａに螺入された上下方向調整ボルト１７の先端が前記ライナー金具１６より延在する上部フランジ片１６ａの水平面に当接することにより据え付け時に方立２の鉛直方向の建て付けが調整されるようになっている。
【００２０】
前記カーテンウォール支持部は、各フロア毎に設けられ、相対的に下段側の方立２頭部に下半部が嵌合され、ボルト１９、２２によって固定された接合用部材２０、２１の上部が上段側方立２の中空部に挿入されることによって方立２の連続性が確保されるようになっている。また、方立２，２のジョイント間隙の室外がわ部分には、構造的に外部と等圧とされる前記リップ状溝２ａ〜２ｃ形成部から室内側への気流を遮断する目的で気密ゴム２６が設けられている。
【００２１】
方立２の固定が完了したならば、方立２間に上下方向に所定の間隔で無目３、３…が架け渡される。これら無目３の連結には、図６に示されるように、方立２に固定される無目取付け用ブラケット２７，２８（以下、単に無目ブラケットという。）が用いられる。
【００２２】
この無目ブラケット２７は、方立２に対する取付け板２９と、この取付け板２９に対して鉛直軸回りに所定の角度範囲内で揺動自在とされる無目支持用翼板３０とから構成される部材である。
【００２３】
前記取付け板２９は、無目側当接面に無目荷重を分担支持する矩形状の荷重支持用突部２９ａ（以下、単に自重受け突部という。）が形成されるとともに、方立側当接面には方立ボルト挿通孔２９ｂが形成され、かつ屈曲する稜線部に沿って該無目ブラケット２７の回転変位を防止する回転防止用係合凸部２９ｃ（以下、単に係合凸部という。）が形成されているとともに、前記係合凸部２９ｃの反対面側には断面Ｃ字状の翼板連結部２９ｄが形成されている。
【００２４】
一方、前記無目支持用翼板３０は、一方がわ側辺に前記翼板連結部２９ｄに嵌合される断面円形状凸部３０ａが形成されるとともに、略中央に無目ボルト挿通孔３０ｂが形成され、板面は平面視で緩やかな凸曲面を成すとともに、他方がわ側辺に室外側に突出する突部３０ｃを有し、無目３の背面には前記凸曲面の中央部および突部３０ｃが当接するようになっている。なお、無目ボルト挿通孔３０ｂは孔ではなく、側方に開口する横Ｕ字状の切欠き溝とすることでもよい。一方の無目ブラケット２８は前記無目ブラケット２７と同じものを対称配置で使用するものであり、対応する符号を付けて説明は省略する。
【００２５】
他方、前記方立２側には、前記無目ブラケット２７，２８の取付けるために、無目連結箇所に連結ボルト孔２ｆを形成するとともに、方立２の室外がわ縁部に長手方向に沿って形成した突片２ｄ、２ｅに対し、無目ブラケット２７，２８の高さ寸法に合わせた切欠き２ｇ、２ｈを形成しておく。この切欠き２ｇ、２ｈは、無目ブラケット２７，２８の位置決めを兼ねるとともに、無目３の重量を支持し、かつ取付け状態で前記無目ブラケット２７，２８の回転変位を防止するためのものである。
【００２６】
前記無目ブラケット２７，２８は、図７に示されるように、無目ブラケット２７，２８の係合凸部２９ｃ、３１ｃをそれぞれ方立２の切欠き２ｇ、２ｈに係合させながら位置決めした後、無目ボルト挿通孔２９ｂ、３１ｂおよび連結ボルト孔２ｆを共に貫く１本の方立ボルト３４を挿通し、ワッシャ３３、３３を介在させながらナット３５をボルト先端部に螺合させて締結される。
【００２７】
このような無目ブラケット２７，２８の取付け構造を採用することにより、作業が省力化されるようになる。すなわち、無目ブラケット２７，２８は、係合凸条２９ｃ、３１ｃをそれぞれ方立２の切欠き２ｇ、２ｈに係合させながら配置することで所定位置に対し傾斜すること無く鉛直にきっちりと位置決めできるようになるとともに、無目３からの荷重を受けても前記係合凸条２９ｃ、３１ｃが係合していることによって無目ブラケット２７，２８は方立ボルト３４を中心として回転変位することはなく、単に１本の方立ボルト３４によって固定すれば足りるようになる。無目ブラケットの取付けは少なくとも２本以上のボルトを用いて固定を行っていた従来法と比べると大幅な省力化および効率化が図れるようになる。
【００２８】
前記無目ブラケット２７，２８の固定を終えたならば、図８および図９に示されるように、無目３の取付けを行う。無目３には、中空内部の背面側にリップ状溝３ａが形成されており、無目３の端部側背面には前記リップ状溝３ａに連通する開口、すなわち相対的に高さ寸法の大きいボルト頭部嵌入孔３ｂと、これに連続する相対的に高さ寸法の小さいボルト頭部保持孔３ｃとが形成されている。同図に示されるように、無目ボルト３６の頭部３６ａを前記ボルト頭部嵌入孔３ｂより嵌入し、そのまま水平方向にスライドさせてボルト頭部保持孔３ｃに位置決めする。そして、無目ボルト３６のネジ部３６ｂを無目ブラケット２７，２８の無目ボルト挿通孔３０ｂ、３２ｂに挿入し、無目支持用翼板３０、３２の背面側にて球面座金３７を間に介して無目ワッシャー３８およびナット３９により締結される。この際、無目ブラケット２７，２８の自重受け突部２９ａ、３１ａは、無目３のボルト頭部嵌入孔３ｂに嵌入され、無目３からの荷重が前記無目ボルト３６のみならず、前記自重受け突部２９ａ、３１ａからも方立２に伝達されるようになっている。なお、前記無目ブラケット２７，２８は、予め方立２に対して取付けを行った上で現場に搬入すると、より省力化および効率化が図れるようになる。
【００２９】
その後、図１０に示されるように、無目３の背面カバー材４０、４０…を取り付けて無目３の取付け作業を完了する。
【００３０】
無目３，３…の取付けが完了したならば、方立の室外がわ面に縦枠５（５Ａ〜５Ｃ）を取り付ける。方立２の１単位長は丁度、階高相当長さとされ、上下部にそれぞれ上側無目３１と下側無目３２とが連結され、これら上下の無目３１，３２間の窓部となる部分には、縦枠５Ｂが取り付けられ、一方床Ｆを跨ぐ部分に腰壁４１が設けられる上下部位には縦枠５Ａ、５Ｃが夫々取り付けられる。これら縦枠５Ｂと縦枠５Ａ、５Ｃとでは若干断面形状が異なっているが、室外がわ面の両側に夫々、ガラス支持部５ａ、５ｂを備える点では共通している。取付けは、方立２の室外がわ面に形成されたリップ状溝２ａ内に縦枠ボルト１０の頭部１０ａを嵌合し、ネジを外部に突出させた状態としておき、これに縦枠５に形成されたボルト孔を貫通させ、ワッシャおよびナット４２によって締結する。なお、無目３，３の間隙部分には水はけ４３が嵌設される。
【００３１】
また、前記縦枠５の取付けに引き続いて、側枠６（６Ａ〜６Ｃ）を前記縦枠５の室外がわ面に取り付ける。この側枠６は、図３に示されるように、断面略Ｈ形状を成し、室内側片を縦枠５の室外がわ面に当接し、ビス４４、４４によって固定される。丁度、パネルＰ，Ｐの境界中央部に位置し、パネルＰ側に臨む面にそれぞれ押縁嵌合溝６ａ、６ｂを備えている。
【００３２】
以上の手順の後、前記無目３，３…と、縦枠５、５、側枠６、６とによって囲まれる開口部にパネルＰを所謂ケンドン方式によって嵌め込み、パネルＰの両側縁を押さえ付けるために、押縁７、８を取り付ける。一方の押縁８の室外がわ面には断面Ｌ字状の屈曲片８ａが形成され、他方の押縁７の室外がわ面にも前記屈曲片８ａと開口方向を同じとするＬ字状屈曲片７ａが形成されている。これら屈曲片８ａ、７ａは縦目地用カバー材９の取付けのために使用される。
【００３３】
以上の要領によってパネルＰの取付け作業を完了したならば、縦ラインを強調するための縦目地用カバー材９を縦目地部に固定する。前記縦目地用カバー材９は、図３に示されるように、カバー本体９ａの一方がわ側縁部に前記押縁８の屈曲片８ａに対して係合する屈曲片９ｂを備えるとともに、カバー本体９ａの裏面中間部に前記押縁７のＬ字状屈曲片７ａに対して係合する屈曲片９ｃを備え、かつ裏面略中央位置に取付け支持用脚片９ｄを備えている。この取付け支持用脚片９ｄには、図１２に示されるように、所定箇所に凹状の切欠き９ｅが形成されるとともに、この凹状切欠き９ｅの上部側にスリット状切欠き９ｆが連続して形成されている。
【００３４】
前記縦目地用カバー材９の取付けに先立って、前記側枠６の凹部内であって前記取付け支持用脚片９ｄ対応位置には、ビス等によって係止片４５が固定され、前記取付け支持用脚片９ｄを前記係止片４５に係止させた後、縦目地用カバー材９を水平方向にスライドさせることにより、屈曲片９ｂを押縁８の屈曲片８ａに係合させるとともに、屈曲片９ｃを押縁７の屈曲片７ａに係合させ、最後に前記屈曲片９ｂと屈曲片８ａとを共に貫くビス４６を螺入させることにより堅固に固定する。
【００３５】
以上、出隅を構成した場合の例について述べたが、前記無目ブラケット２７、２８は、図１３に示されるように、無目支持用翼板３０が取付け板２９との連結部を鉛直方向回転中心軸として、所定の角度範囲で揺動自在とされる。したがって、図１３(B)に示される取付け状態とすることにより、水平方向に隣接する無目３、３を同一線上に支持することができるようになり、パネルＰ、Ｐを平面的に支持することが可能となる。
【００３６】
また、図１３(C)に示される取付け状態とすることにより、水平方向に隣接する無目３、３を入隅方向に折れ角を持たせた状態で支持することができるようになり、パネルＰ、Ｐにより入隅を構成することが可能となる。図１４にパネルＰ、Ｐを入隅を構成した場合の要部外観図を示し、図１５にその水平横断面図を示す。図３と対比すると、無目支持用翼板３０、３２の取り付け角度が異なるのみで、他の構造部分について全く同様であることが判る。
【００３７】
【発明の効果】
以上詳説のとおり本発明によれば、単一のカーテンウォール構造により、平面方向、入隅方向および出隅方向のいずれの方向であっても、所定角度範囲内で任意にパネル間の折れ角を可変自在としたカーテンウォール構造を提供することが可能となる。また、方立と無目との連結作業が省力化かつ効率化されるようになる。
【図面の簡単な説明】
【図１】  本カーテンウォール構造の縦断面図である。
【図２】  本カーテンウォール構造により出隅を構成した場合の要部外観図である。
【図３】  その水平横断面図である。
【図４】  方立支持部の要部拡大側面図である。
【図５】  方立支持部の要部拡大平面図（図４のV−V線矢視）である。
【図６】  無目ブラケット２７、２８の取付け手順図（その１）である。
【図７】  無目ブラケット２７、２８の取付け手順図（その２）である。
【図８】  無目ブラケット２７、２８の取付け手順図（その３）である。
【図９】  無目ブラケット２７、２８の取付け手順図（その４）である。
【図１０】  背面カバー材４０の取付け状態図である。
【図１１】  方立２に対する縦枠５および側枠６の取付け要領図である。
【図１２】  縦目地用カバー材の取付け要領図である。
【図１３】  (A)〜(C)はそれぞれ、出隅、平面および入隅毎の無目支持用翼板３２（３０）の姿勢状態を示す平面図である。
【図１４】  本カーテンウォール構造により入隅を構成した場合の要部外観図である。
【図１５】  その水平横断面図である。
【符号の説明】
１…カーテンウォール構造、２…方立、３…無目、３ａ…リップ状溝、３ｂ…ボルト頭部嵌入孔、３ｃ…ボルト頭部保持孔、５…縦枠、６…側枠、７・８…押縁、９…縦目地用カバー材、１１…方立支持金具、２７・２８…無目ブラケット、２９・３１…取付け板、３０・３２…無目支持用翼板、２９ａ・３１ａ…荷重支持用突部、２９ｃ・３１ｃ…回転防止用係合凸部、３４…方立ボルト、３６…無目ボルト、Ｐ…パネル
【図１】
0003837292.tif 000002
【図２】
0003837292.tif 000003
【図３】
0003837292.tif 000004
【図４】
0003837292.tif 000005
【図５】
0003837292.tif 000006
【図６】
0003837292.tif 000007
【図７】
0003837292.tif 000008
【図８】
0003837292.tif 000009
【図９】
0003837292.tif 000010
【図１０】
0003837292.tif 000011
【図１１】
0003837292.tif 000012
【図１２】
0003837292.tif 000013
【図１３】
0003837292.tif 000014
【図１４】
0003837292.tif 000015
【図１５】
0003837292.tif 000016